(57)【要約】【課題】遊技盤の特定入賞口に回動可能な入賞役物を配置し、特定入賞口の近傍に在る遊技球の入賞の機会を増やすようにした遊技機を提供する。【解決手段】遊技盤１１のセンター飾り１９には、入賞口１４、１５への入賞を契機として回転動作を開始する開閉部材３６が配置されており、開閉部材３６の近傍に飛来する遊技球を該開閉部材３６の回動により掬い取ることで、特定入賞口１３への入賞の機会を増やすことが可能になる。これにより、遊技者に遊技を十分に楽しませることができるようになる。【選択図】図２
2007117671.tif 000002
【特許請求の範囲】
【請求項１】
遊技盤に、特別入賞口と、大当たり発生の契機となる入賞が行われる特定入賞口及び該特定入賞口を開閉する開閉部材を有する入賞役物と、を備え、前記遊技盤の遊技領域に遊技球を打ち出すことで遊技してなる遊技機において、
前記開閉部材は、前記遊技盤の左右幅方向の少なくとも一側に、前記特別入賞口への入賞を契機として回転するように配置され、かつ該回転時に、前記遊技領域に打ち出された遊技球を掬い取って前記特定入賞口内に取り入れる湾曲部を備えてなる、
ことを特徴とする遊技機。
【請求項２】
前記特別入賞口は、前記遊技領域の異なる位置に配置された第１及び第２入賞口であり、
前記開閉部材は、前記第１入賞口への入賞を契機として前記特定入賞口を開放しそして閉塞する回転動作を１度行い、かつ前記第２入賞口への入賞を契機として前記特定入賞口を開放しそして閉塞する回転動作を２度行うように制御されてなる、
請求項１に記載の遊技機。
【請求項３】
前記特定入賞口は、前記遊技領域の左右幅方向の一側及び他側にそれぞれ設けられ、かつ、
前記開閉部材は、前記一側及び前記他側にて前記遊技領域に対し垂直に植設された軸を中心として互いに逆方向に回転する一対の三日月形状の開閉部材として設けられてなる、
請求項１又は２に記載の遊技機。
【発明の詳細な説明】
【技術分野】
【０００１】
本発明は、パチンコ機等の遊技機に関し、詳しくは、特定入賞口及び該特定入賞口を開閉する開閉部材を有する入賞役物を備える遊技機に関する。
【背景技術】
【０００２】
一般に、遊技機、例えば羽根物と呼ばれる所謂第２種パチンコ機では、遊技領域に遊技球を打ち出して行う遊技中に、遊技領域の中央部に配置された特別電動役物の左右に備えた羽根部材が、特定の入賞口への入賞に起因して、所定の時間で所定回数（通常は１回か２回）だけ開放し、そして閉止するように構成されている（例えば、特許文献１参照）。
【０００３】
このように開閉動作する羽根部材に、後続して流下してくる遊技球がタイミング良く取り込まれると、その遊技球は、特別電動役物内に設けられたＶゾーンか、Ｖゾーン近傍に設けられたはずれゾーンの何れかに入球する。その場合、Ｖゾーンに入球した際には大当たりとなり、このとき抽選で選ばれたラウンド数だけ、上記羽根部材の開閉動作が繰り返し行われ、その間に該羽根部材により特別電動役物に取り込まれる遊技球に対応する賞球が行われる。
【０００４】
【特許文献１】特開２００４−２２２７７３号公報
【発明の開示】
【発明が解決しようとする課題】
【０００５】
ところで、上記特許文献１に記載されるようなパチンコ機では、入賞時における入賞役物の羽根部材が開閉動作されることで、特定入賞口の近傍に在る遊技球は、羽根部材の外縁と接触して特定入賞口から弾かれてしまい、入賞の機会を逸する場合がある。斯様な場合には、遊技に集中する遊技者の期待に反する事態となることから、遊技者が遊技を十分に楽しむことができない問題を招来する虞があった。
【０００６】
そこで本発明は、従来の羽根部材の開閉動作に代わり回転部材を用いることで、特定入賞口の近傍に在る遊技球の入賞の機会を増やすように構成し、もって上述した課題を解決する遊技機を提供することを目的とするものである。
【課題を解決するための手段】
【０００７】
請求項１に係る本発明は、遊技盤（１１）に、特別入賞口（１４，１５）と、大当たり発生の契機となる入賞が行われる特定入賞口（１３）及び該特定入賞口を開閉する開閉部材（３６）を有する入賞役物（２２）と、を備え、前記遊技盤の遊技領域（１１ａ）に遊技球（Ｂａ）を打ち出すことで遊技してなる遊技機（１）において、
前記開閉部材（３６）は、前記遊技盤（１１）の左右幅方向の少なくとも一側に、前記特別入賞口（１４，１５）への入賞を契機として回転するように配置され、かつ該回転時に、前記遊技領域（１１ａ）に打ち出された遊技球を掬い取って前記特定入賞口（１３）内に取り入れる湾曲部（３６ａ）を備えてなる、
ことを特徴とする遊技機（１）にある。
【０００８】
請求項２に係る本発明は、前記特別入賞口は、前記遊技領域（１１ａ）の異なる位置に配置された第１及び第２入賞口（１４，１５）であり、
前記開閉部材（３６）は、前記第１入賞口（１４）への入賞を契機として前記特定入賞口（１３）を開放しそして閉塞する回転動作を１度行い、かつ前記第２入賞口（１５）への入賞を契機として前記特定入賞口（１３）を開放しそして閉塞する回転動作を２度行うように制御されてなる、
請求項１に記載の遊技機（１）にある。
【０００９】
請求項３に係る本発明は、前記特定入賞口（１３）は、前記遊技領域（１１ａ）の左右幅方向の一側及び他側にそれぞれ設けられ、かつ、
前記開閉部材（３６）は、前記一側及び前記他側にて前記遊技領域（１１ａ）に対し垂直に植設された軸（３９ａ）を中心として互いに逆方向に回転する一対の三日月形状の開閉部材として設けられてなる、
請求項１又は２に記載の遊技機（１）にある。
【００１０】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１１】
請求項１に係る本発明によると、入賞を契機として開閉部材が回動することで、特定入賞口の近傍に在る遊技球を特定入賞口内へ容易に導くことが可能となり、従来まで開閉部材の形状に起因して入賞の機会を逸していた遊技球を、本発明の、湾曲部により遊技球を掬い取る構造によって特定入賞口へ効率良く導くことができる。これにより、遊技者に遊技を十分に楽しませることができるようになる。
【００１２】
請求項２に係る本発明によると、位置及び提供動作回数に違いのある第１及び第２入賞口を遊技領域に有するので、遊技者は、開閉部材の回転動作を２度得られる第２入賞口側への入賞を期待しながら遊技球を打ち出すことで、より多くの入賞の機会を期待して遊技をより楽しむことができる。
【００１３】
請求項３に係る本発明によると、特定入賞口を遊技領域の左右幅方向の一側及び他側に設けたので、特定入賞口への入賞の機会を増やすことができると共に、特定入賞口へ設けた軸を中心とする三日月形状の開閉部材の運動円弧内に在る遊技球をより確実に補足することができるので、更に特定入賞の機会を増やすことができる。
【発明を実施するための最良の形態】
【００１４】
以下、本発明に係る遊技機の実施形態として、遊技場等に設置されるパチンコ機を図面に沿って説明する。なお、後述する各実施の形態では、本発明の遊技機を所謂第２種特別電動役物を使用したパチンコ機として述べる。
【００１５】
ここで、図１から図５を参照して、パチンコ機１の概略を説明する。図１は本発明に係る実施の形態におけるパチンコ機１の外部構造を示す正面図、図２は本パチンコ機１の遊技盤及び遊技領域を拡大して示す正面図、図３はセンター飾り１９に備えた開閉部材及びその近傍を拡大して示す正面図である。また、図４は該開閉部材及びその駆動機構を示す図であり、同図（Ａ）は開閉部材の正面図、同図（Ｂ）は開閉部材及びその駆動機構を側方向から見た断面図である。図５は本パチンコ機１の全体の制御系を示す制御ブロック図である。
【００１６】
本パチンコ機１は、図１に示すように、発射ハンドル９の操作による発射装置７２（図５参照）の作動で遊技球（所謂パチンコ玉）を遊技盤１１の遊技領域１１ａに向かって打ち出しつつ遊技を行うもので、打ち出された遊技球は入賞口１３（以下、特定入賞口１３ともいう）、第１入賞口（特別入賞口）１４、第２入賞口（特別入賞口）１５、入賞口（以下、一般入賞口１６，１７ともいう）１６，１７、又はアウト口１８に収容される構成をなしている。
【００１７】
図１に示すように、本実施形態におけるパチンコ機１は、開口を有する枠体状の筐体２と、この筐体２に開閉可能に装着された前扉３とを有しており、前扉３の前面には、透明ガラス６を有するガラス枠５が開閉可能に取り付けられている。透明ガラス６の奥側には、遊技盤１１が配設されている。前扉３における遊技盤１１の左右及び上部には演出用照明装置２３が配設されており、前扉３における上部左右には夫々スピーカ（図示せず）を有する放音装置８が配設されている。また、ガラス枠５における右側部には、前扉３を筐体２側に施錠又は解放するための施錠装置４が配設されている。
【００１８】
そして、前扉３における下部中央には皿ユニット６が設けられており、皿ユニット６における右上部には、球貸ボタン７ａ及びプリペイドカード返却ボタン７ｂが設けられている。皿ユニット６の中央部には、該皿ユニット６上の遊技球を発射装置７２付近から皿ユニット下部の球排出口（図示せず）を通して下方に排出するための第１球抜きボタン２１ａと、皿ユニット６上の遊技球を上記球排出口を通して下方に排出するための第２球抜きボタン２１ｂとが配置されている。
【００１９】
また、前扉３における皿ユニット６の右側下方には、上記発射装置を操作して遊技球を遊技盤１１に向けて打ち出すための発射ハンドル９が設けられ、皿ユニット６の左側下方には灰皿２５が配設されている。遊技領域１１ａの最下部には、アウト口１８が形成されており、遊技中に遊技領域１１ａにて入賞することなく落下してアウト口１８に入り込んだ遊技球を、パチンコ機背面側に導くアウト球通路（図示せず）が設けられている。なお、図１中の符号１２は、発射ハンドル９の操作で発射された遊技球を遊技領域１１ａに導くガイドレールを示している。
【００２０】
一方、遊技領域１１ａ内に配設された入賞口１３，１４，１５，１６，１７は、全て遊技球が入賞した場合に所定数の遊技球を賞球するように機能するが、単に遊技球の賞球のみを行うものと、賞球以外の他の機能を有するものとが存在している。具体的には、遊技領域１１ａの中央左右に設けられた入賞口１６と、遊技領域１１ａの左右下方に設けられた、遊技球誘導ユニット２０に配設された入賞口１７とが、前者に示した賞球のみ行う入賞口となる。また、遊技領域１１ａの中央に設けられたセンター飾り２２の上部左右に配設される特定入賞口１３と、遊技領域１１ａの中央下部に配設される第１入賞口１４、及び第２入賞口１５とが、後者に示した賞球以外の他の機能を有する入賞口となる。遊技領域１１ａにおけるセンター飾り２２に配設される特定入賞口１３には、本発明の特徴となる湾曲部３６ａを有する開閉部材３６等により構成されるセンター飾り（入賞役物）２２が配設されている。なお、該センター飾り２２の構成については、図３を用いて後に詳述する。
【００２１】
すなわち、入賞口１４，１５への入賞は、通常の賞球のみならず、センター飾り２２の特定入賞口１３を開放させる条件ともなっている。具体的には、第１入賞口１４に遊技球が入賞した際には、入賞役物２２である開閉部材３６が図１に示す位置から１回転することによって、特定入賞口１３が１回の規定時間による開放状態を作ることができる。また、第２入賞口１５に遊技球が入賞した際には、開閉部材３６が２回転することによって、特定入賞口１３が２回の規定時間による開放状態を作ることができる。
【００２２】
これにより、第１入賞口１４、及び第２入賞口１５へ入賞することにより特定入賞口１３の開放条件に差異を設けることができ、入賞可能性の機会に変化を付けることが可能とされている。
【００２３】
ところで、遊技領域１１ａには、センター飾り２２の左右上方及び左右下方にそれぞれ風車３５が配設されている。また、遊技領域１１ａにおけるセンター飾り２２の周囲には、発射されてからセンター飾り２２に関与せずに落下してくる遊技球を適宜に散らし、第１入賞口１４、第２入賞口１５等に対し、入球に導くようにするための複数の障害釘が打ち込まれている。なお、本実施の形態においては、上記風車３５がセンター飾り２２の左右上方及び左右下方に配設されるものとして説明するが、これは１つの例であり、配設させる位置や数については遊技領域１１ａ内において特に限定されるものではない。また、障害釘及び各種入賞口にあっても、配設させる位置や数について遊技領域１１ａ内において特に限定されるものではない。
【００２４】
次に、センター飾り２２について、図２を参照して詳細に説明する。センター飾り２２の上部には、本パチンコ機１の名称やロゴ等を模った装飾部材７４が配設されており、その下方には、センター飾り２２の有する略々台形形状の開口部２７から露出されるように図柄表示装置３１が配設されている。該図柄表示装置３１の左右には、特定入賞口１３を開閉する開閉部材３６が軸３９ａ（図３参照）を中心に回動自在に配設されている。
【００２５】
また、特定入賞口１３の直下方であってセンター飾り２２の左右外側部には、センター飾り２２を装飾する外枠部材３７が形成され、更にその内側には、特定入賞口１３の下方からセンター飾り２２の中央部を囲うような波形の壁部材３８により装飾されている。この壁部材３８の下方端部、すなわちセンター飾り２２の底部には、センター飾り２２に導入された遊技球を入賞させる遊技球入賞口２８，３０，２８が、それぞれの開口部を水平にして同じ高さとなるような横並びの状態で配設されている。
【００２６】
上記遊技球入賞口２８，３０，２８の直上方には、人間を模った立体造形物からなるＶゾーン案内装置１９が設けられている。該Ｖゾーン案内装置１９は、特定入賞口１３から導入された遊技球を遊技球入賞口２８，３０，２８のいずれかへ誘導する誘導路を構成している。
【００２７】
遊技球入賞口２８（以下、一般入賞口２８ともいう）は、遊技領域１１ａに設けられた入賞口１６，１７と同様、遊技球の入賞をもって賞球される入賞口である。一方、遊技球入賞口３０（以下、Ｖゾーン入賞口３０という）は、いわゆる一般的にＶゾーンと呼ばれる特別な入賞口であり、遊技球の入賞により大当たり抽選実行の契機となり得る入賞が行われ、パチンコ機１を特定の遊技状態に移行させるものとなっている。
【００２８】
ついで、図３を参照して、本発明に係る特定入賞口１３及び該入賞口１３を開閉する開閉部材３６の構成について説明する。なお、同図は、図２に示したセンター飾り２２におけるＶゾーン案内装置１９の上側部分を概略的に示す図であり、開閉部材３６の構成は詳細に示すが、装飾部材７４や外枠部材３７の形状は模式化して示し、Ｖゾーン案内装置１９は図示を省略している。
【００２９】
図３に示すように、特定入賞口１３は、センター飾り２２上部の装飾部材７４と該装飾部材７４の左右端近傍にそれぞれ位置する外枠部材３７の上端部との間にて、遊技球の通過を可能にする導入口として形成されている。特定入賞口１３の略中央部には、開閉モータ３９の軸３９ａが、遊技盤１１をその垂直な方向に貫通している。この軸３９ａは、先端部分が、開閉部材３６を支持する回転円板３６ｂの裏面の連結部３６ｄに連結している。開閉モータ３９の駆動で軸３９ａが回動することにより、左側の開閉部材３６は、０．５秒で１回転を完了する角速度で図３の時計回り方向（矢印ａ方向）に回転させられ、右側の開閉部材３６は、０．５秒で１回転を完了する角速度で図３の反時計回り方向（矢印ｂ方向）に回転させられる。
【００３０】
回転円板３６ｂは、図４（Ｂ）に示すように、軸３９ａと開閉部材３６とを連結する連結部材として構成され、その裏面の中央から後方に円柱状に突出する上記連結部３６ｄを有している。遊技盤１１には、回転円板３６ｂ及び連結部３６ｄの双方を回転自在に収容する凹部１１ｂが形成されており、回転円板３６ｂは、凹部１１ｂに収容された状態で遊技盤１１の表面と略々面一となるように構成されて、回転板３６ｂ上を遊技球が通過するに支障のない状態を形成する（図４−Ｂ参照）。なお、本実施の形態では、開閉部材３６を遊技盤１１側に支持する円形の部材として述べたが、回転円板３６ｂの平面形状は円形状に限らず、例えば、扇形状とすることも可能である。
【００３１】
回転板３６ｂは、図４（Ａ）に示すように、遊技盤１１面と対向する外方に外周縁端が延出する平面視三日月形状を呈し、かつ、遊技球を掬うための湾曲部３６ａを形成するように、遊技盤１１に垂直な方向に立体的に形成されている。この開閉部材３６は、遊技球が特定入賞口１３を通過するか否かの開閉扉の役割を果たすものであり、開閉部材３６の頂部３６ｃ、３６ｃが装飾部材７４の端部と外枠部材３７の各端部の近傍にある場合には遊技球の通過を遮断する閉塞状態を形成し、該閉塞状態から軸３９ａを中心に９０度の回転を進めた位置では、遊技球が通過可能な開放状態を形成する。
【００３２】
開閉部材３６は、長径円弧側である内周側に、上記した略スプーン形状の湾曲部３６ａを有しており、開閉部材３６の回転円内に在る遊技球を掬うことに有利な形状となっている。即ち、開閉部材３６が回動することで、開閉部材３６の回転円内に在る遊技球（つまり、タイミング良く流下してきた遊技球）は、湾曲部３６ａにより掬い取られることとなる。この回転部材３６は、装飾部材７４と外枠部材３７との境に配置されるだけでなく、センター飾り２２を形成する障壁のいずれの位置に配置されていても良く、また、センター飾り２２を形成する障壁中の複数箇所に配置されていても良い。
【００３３】
ここで、入賞役物２２の開閉部材３６が遊技球を捕捉する手段について説明すると、今、開閉部材３６がセンター飾り２２の内方へ位置する閉塞状態にある場合をイニシャルとして、遊技球が入賞口１４、１５の何れかに入賞されると、図３中の右側の開閉部材３６は反時計回り（矢印ｂ方向）に、左側開閉部材３６は時計回り方向（矢印ａ方向）にそれぞれ回動を開始する。本回動開始後には、開閉部材２６の回転円内にある遊技球は湾曲部３６ａにより容易に捕捉され、センター飾り２２内部へと導かれることとなる。本開閉部材３６の回動がイニシャル位置から略９０度まで進むと、開閉部材３６と装飾部材７４との間に開口が形成されて、近傍の遊技球が障害釘で弾かれたりして直接に特定入賞口１３内へ飛込むこともある。
【００３４】
更に開閉部材３６が回動を進めて１８０度までに移行すると、イニシャル位置とは軸対称の位置となり開閉部材３６の両端部がそれぞれ装飾部材７４の端部と外枠部材３７の端部とに近接して、再び特定入賞口１３の閉塞状態が形成されて遊技球の進入が遮断される。また、更に開閉部材３６の回動が進むと、開閉部材３６と外枠部材３７の端部との間に開口が形成されて、再び遊技球の進入を許容する状態が形成される。しかし、本状態では湾曲部３６ａは下方に向かっていることから開閉部材３６により近傍に在る遊技球を掬い取ることは出来ず、遊技球はダイレクトに特定入賞口１３内へ飛込むことだけが許容される。
【００３５】
以上のように、開閉部材３６が軸３９ａを中心とする１回の回動（回転）期間中には、イニシャル位置である閉塞状態、上方開口状態、イニシャル位置と軸対称の閉塞状態、下方開口状態の過程を繰り返すことにより、多様な特定入賞口１３の開口形状を得ることができる。
【００３６】
このような開閉部材３６は、遊技盤１１の裏面に配された開閉モータ３９の駆動により回転させられるものであり、該開閉モータ３９は、遊技盤１１の裏面に直接に、又はスペーサーを介して固定されて、後述する遊技制御装置６０（図５参照）よりの制御信号を受けて駆動される。この開閉モータ３９では、開閉部材３６のイニシャルポジションを常に同一位置に保つ必要から、ステッピングモータ（パルスモータ）や、回転位置センサー内蔵のモータ等が用いられることが好ましい。
【００３７】
次に、本実施形態におけるパチンコ機１の制御系を図５に沿って説明する。図５は本パチンコ機１の全体の制御系を示すブロック図である。すなわち、本制御系は、大きく分けて、遊技制御装置６０と、排出制御装置６１を初めとするその他の周辺装置等とによって構成されている。
【００３８】
遊技制御装置６０は、本パチンコ機１における抽選手段が形成される装置となっており、遊技盤１１の裏面に取り付けられた役物制御ユニット（図示略）により実現されている。遊技制御装置６０は、パチンコ遊技等に必要な役物制御を行うワンチップマイコンからなる遊技用マイクロコンピュータ６２と、水晶の発振周波数を分周して所定のクロックを得るクロック生成回路（ＣＬＫ）６３と、各種信号の入出力を行う入出力インターフェース６４とを有している。遊技用マイクロコンピュータ６２は、ＣＰＵ６２ａ、ＲＯＭ６２ｂ、ＲＡＭ６２ｃを内蔵しており、いわゆるアミューズチップ用のＬＳＩとして用いられるものである。
【００３９】
この遊技制御装置６０の入出力インターフェース６４には、第１入賞口センサ６５、第２入賞口センサ６６、入賞口センサＡ１〜Ａ３、及びセンター飾り２２における継続センサ６７からの検出信号が入力される。ここで、第１入賞口センサ６５は、第１入賞口１４への入賞を検出するセンサであり、第２入賞口センサ６６は、第２入賞口１５への入賞を検出するセンサであり、更に入賞口センサＡ１〜Ａ３は、一般入賞口１６，１７，２８への入賞をそれぞれ検出するセンサである。また、継続センサ６７は、センター飾り２２に入賞した遊技球のうち、Ｖゾーン入賞口３０にＶ入賞した遊技球を検知する（Ｖ入賞検知信号を検知する）センサである。なお、一般入賞口がＮ個ある場合には、入賞口センサもこれに対応してＮ個配設させることとなる。
【００４０】
一方、入出力インターフェース６４からは、放音装置８を放音駆動して効果音などの出力制御を行う音声出力制御装置６８、演出用照明装置２３や図柄表示装置３１等の制御を行う演出制御装置６９、センター飾り２２を駆動する開閉モータ３９、Ｖゾーン案内装置１９を駆動するモータ７３、発射装置７２を制御する発射制御装置７１に信号が出力される。
【００４１】
また、この入出力インターフェース６４からは、排出制御装置６１にも賞球制御情報の信号が出力される。なお、賞球制御情報の内容としては、賞球数情報や排出条件等の情報が出力される。排出制御装置６１は、遊技制御装置６０から入力される賞球制御情報に基づいて、排出ユニット（不図示）を駆動して遊技球を排出する制御を行うものである。すなわち、遊技制御装置６０は、遊技領域１１ａの各入賞口に設けられた第１入賞口センサ６５、第２入賞口センサ６６、入賞口センサＡ１〜Ａ３によって入賞が検出されると、各入賞口の入賞価値に対応して予め設定された賞球数情報を排出制御装置６１へ送信する。そして、排出制御装置６１では、この賞球数情報を受信して、それに応じた賞球排出制御を行う。
【００４２】
一方、前述した抽選手段は、Ｖゾーン入賞口３０に対応する継続センサからのＶ入賞検知信号の受信時、大当たり確定に伴う特定入賞口１３を開閉継続させるラウンド数を、ＲＯＭ６２ｂに格納された演出乱数値に基づく抽選で決定する。このラウンド数は、３、７、１５回の３通りがあり、この３と７の各ラウンドの最後に前述したＶ入賞検知信号を受信した場合にはラウンド数が１回加算され、最高１５ラウンドまで大当たり遊技が継続される。そして、上記抽選手段による大当たり抽選の確定に際しては、遊技制御装置６０による演出用照明装置２３や図柄表示装置３１等の各種発光・表示演出が適時になされる。なお、本実施形態においては、大当たり遊技中、特定入賞口１３に遊技球が１０個入賞するか、特定入賞口１３が１５回開閉されると１ラウンドの終了となる。
【００４３】
次に、本パチンコ機１による作用について説明する。すなわち、本パチンコ機１に対面して着座した遊技者が発射ハンドル９を握り、適宜の角度に回動操作した際には、発射制御装置７１がその回転角に基づいて発射装置７２を制御し、それにより、該発射装置７２の作動で遊技球を所定の時間間隔で遊技領域１１ａに向けて連続的に発射させる。すると、遊技領域１１ａに打ち出されて転動落下する多数の遊技球は、入賞口１４，１５等に適時入賞し、或いは、これらに関与せずに転動落下して、遊技領域１１ａ最下部のアウト口１８から遊技盤１１背面側に排出される。
【００４４】
上記した各経路を辿った遊技球が、第１入賞口１４へと入賞した際には、センター飾り２２の有する開閉部材３６が、開閉モータ３９によって１回転の開閉動作（約０．５秒間）を行う。一方、遊技球が第１入賞口１４の重力垂下方向に位置する第２入賞口１５へと入賞した際には、開閉部材３６は、開閉モータ３９によって２回転の開閉動作（約１．０秒間）が行われる。このようにして特定入賞口１３が開放状態となった際には、遊技領域１１ａに打ち出された遊技球の中で入賞役物２２の近傍に在るものは湾曲部３６ａに掬われて、特定入賞口１３からセンター飾り２２内へと比較的容易に導入され得る状態となる。
【００４５】
センター飾り２２内へ導入された遊技球は、Ｖゾーン案内装置１９等に当接しながら落下し、遊技球入賞口２８もしくはＶゾーン入賞口３０へと向かう。そして、遊技球がＶゾーン入賞口３０へ入賞した際には、大当たりの種別、つまり大当たり遊技において特定入賞口１３を開閉させるラウンド数の決定が、遊技制御装置６０における抽選手段にてなされる。このラウンド数が決定されると、開閉モータ３９の駆動によりセンター飾り２２が作動され、特定入賞口１３が開閉動作される大当たり遊技が開始される。ここで、特定入賞口１３が開いた際に、遊技領域１１ａに打ち出された遊技球が該特定入賞口１３からセンター飾り２２内に導入されると、指定の経路を経て、遊技球入賞口２８もしくはＶゾーン入賞口３０へと入賞されることとなる。
【００４６】
加えて、例えば、上記大当たり遊技において当初のラウンド数が３回に決定された場合、この３回目の最終ラウンド中にＶゾーン入賞口３０に入賞した場合には、再びラウンド数の決定が抽選手段により行われ、そこで大当たりが終了するか更に大当たりが継続するかが決定される。継続が決定された際には、一連のラウンド数が１５回を超えない範囲でラウンド数が延長設定され（例えば、７回分が増加されて全体で１０回）、その旨を遊技者に報知する演出が遊技制御装置６０の制御によって適時に演出用照明装置２３や図柄表示装置３１等に出力されることにより、これらの内容等が遊技者の視覚に訴えるような演出表示として実行されることとなる。
【００４７】
上述したような遊技を遊技者が行うことによって、入賞口１６，１７、第１入賞口１４、第２入賞口１５、遊技球入賞口２８、及びＶゾーン入賞口３０へと遊技球が適宜入賞し、それぞれの入賞価値に応じた多量の遊技球が球供給口８から皿ユニット１３に払い出される。
【００４８】
以上説明したように、本実施の形態によると、入賞を契機として開閉部材３６が回動することで、特定入賞口１３の近傍に在る遊技球Ｂａを特定入賞口１３内へ容易に導くことが可能となり、従来まで開閉部材の形状に起因して入賞の機会を逸していた遊技球を、湾曲部３６ａにより遊技球を掬い取る構造によって特定入賞口１３へ効率良く導くことができる。これにより、遊技者に遊技を十分に楽しませることができるようになる。また、位置及び提供動作回数に違いのある第１及び第２入賞口１４，１５を遊技領域１１ａに有するので、遊技者は、開閉部材３６の回転動作を２度得られる第２入賞口１５側への入賞を期待しながら遊技球を打ち出すことで、より多くの入賞の機会を期待して遊技をより楽しむことができる。
【００４９】
更に、本実施の形態によると、特定入賞口１３を遊技領域１１ａの左右幅方向の側部それぞれに設けたので、特定入賞口１３への入賞の機会を増やすことができると共に、特定入賞口１３へ設けた軸３９ａを中心とする三日月形状の開閉部材３６の運動円弧内に在る遊技球をより確実に補足することができるので、更に特定入賞の機会を増やすことができる。
【００５０】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００５１】
【図１】本発明に係る実施の形態におけるパチンコ機の外部構造を示す正面図である。
【図２】本パチンコ機の遊技盤及び遊技領域を拡大して示す正面図である。
【図３】センター飾りに備えた開閉部材及びその近傍を拡大して示す正面図である。
【図４】開閉部材及びその駆動機構を示す図であり、同図（Ａ）は開閉部材の正面図、同図（Ｂ）は開閉部材及びその駆動機構を側方向から見た断面図である。
【図５】本パチンコ機の全体の制御系を示す制御ブロック図である。
【符号の説明】
【００５２】
１        遊技機（パチンコ機）
１１ａ    遊技領域
１１      遊技盤
１３      特定入賞口
１４      特別入賞口（第１入賞口）
１５      特別入賞口（第２入賞口）
２２      入賞役物（センター飾り）
３６      開閉部材
３６ａ    湾曲部
３６ｂ    回転板
３９ａ      軸
３９      開閉モータ
【図１】
2007117671.tif 000003
【図２】
2007117671.tif 000004
【図３】
2007117671.tif 000005
【図４】
2007117671.tif 000006
【図５】
2007117671.tif 000007